(57)【要約】【課題】データベースサーバに記憶されているオリジナルデータの利用を促進することの出来るデータリンクシステム及びこれに用いることの出来る携帯型入力装置の提供すること。【解決手段】  サーバに蓄積されたオリジナル電子情報を特定するリンク情報を印刷物から読み取ると共に，読み取った上記リンク情報に基づいて上記オリジナル電子情報にアクセスしてオリジナル電子情報を取得するために，前記サーバと，自己のＩＤを記憶する記憶手段と，光学センサと，該光学センサ以外の所定の入力手段と，上記光学センサ及びそれ以外の入力手段から取り込んだ情報を前記ＩＤと共に前記サーバに送信する送信手段とを少なくとも備えた携帯型入力手段と，少なくとも前記サーバから送信された情報を前記ＩＤに基づいて受信する受信手段と，受診した情報を表示する表示手段とを備えた携帯端末とを備えてなるデータリンクシステム。【選択図】図２
2011086135.tif 000002
【特許請求の範囲】
【請求項１】
サーバに蓄積されたオリジナル電子情報を特定するリンク情報を印刷物から読み取ると共に，読み取った上記リンク情報に基づいて上記オリジナル電子情報にアクセスしてオリジナル電子情報を取得するデータリンクシステムであって，
前記サーバと，
自己のＩＤを記憶する記憶手段と，光学センサと，該光学センサ以外の所定の入力手段と，上記光学センサ及びそれ以外の入力手段から取り込んだ情報を前記ＩＤと共に前記サーバに送信する送信手段とを少なくとも備えた携帯型入力手段と，
少なくとも前記サーバから送信された情報を前記ＩＤに基づいて受信する受信手段と，受信した情報を表示する表示手段とを備えた携帯端末とを備えてなるデータリンクシステム。
【請求項２】
前記携帯型入力手段がペン機能を備えたものである請求項１に記載のデータリンクシステム。
【請求項３】
前記所定の入力手段が，加速度センサ，圧力センサ，速度センサ，距離センサ，傾きセンサのいずれかあるいは複数を含むものである請求項１あるいは２のいずれかに記載のデータリンクシステム。
【請求項４】
前記光学センサがカメラを含むものである請求項１〜３のいずれかに記載のデータリンクシステム。
【請求項５】
前記携帯型入力手段がＧＰＳ機能を備えたものである請求項１〜４のいずれかに記載のデータリンクシステム。
【請求項６】
前記携帯型入力手段が光学式マウスである請求項１〜５のいずれかに記載のデータリンクシステム。
【請求項７】
サーバに蓄積されたオリジナル電子情報を特定するリンク情報を印刷物から読み取ると共に，読み取った上記リンク情報に基づいて上記オリジナル電子情報にアクセスしてオリジナル電子情報を取得するための携帯型入力装置であって，
自己のＩＤを記憶する記憶手段と，光学センサと，該光学センサ以外の所定の入力手段と，上記光学センサ及びそれ以外の入力手段から取り込んだ情報を前記サーバに送信する送信手段とを少なくとも備え，
上記光学センサによって読み取った前記ＩＤとリンク情報とを前記光学センサ以外の所定の入力手段と，前記送信手段とを用いて前記サーバに記憶された前記オリジナル電子情報にアクセスして，前記オリジナル電子情報を取得する携帯型入力装置。
【請求項８】
当該携帯型入力装置がペン機能を備えてなる請求項７に記載の携帯型入力装置。
【請求項９】
前記所定の入力手段が，加速度センサ，圧力センサ，速度センサ，距離センサ，傾きセンサのいずれかあるいは複数を含むものである請求項７あるいは８のいずれかに記載の携帯型入力装置。
【請求項１０】
前記光学センサがカメラを含むものである請求項７〜９のいずれかに記載の携帯型入力装置。
【発明の詳細な説明】
【技術分野】
【０００１】
本発明は，サーバに蓄積されたオリジナル電子情報を特定するリンク情報を印刷物から読み取ると共に，読み取った上記リンク情報に基づいて上記オリジナル電子情報にアクセスしてオリジナル電子情報を取得するデータリンクシステム及び該システムで用いることの出来る携帯型入力装置に係り，特に，簡易な構成によりユーザにとっての使いやすさを向上させたデータリンクシステム及び該システムで用いることの出来る携帯型入力装置に関するものである。
【背景技術】
【０００２】
データリンクシステムについては，古くから研究が進んでおり，当初は米軍での情報送受信システムとして研究されたものである。ここでは，情報交換装置または，情報共有化機器とも訳される通信情報機器とその通信仕様（プロトコル）を総合して戦術データ・リンクと呼んでいた。音声情報だけでなく，（自己や目標）位置情報や状態の情報，（可視光・赤外線・レーダー表示）画像を一括して送受信できるようにして精度の高い情報を軍関係者に提供することを目的とするものであった。使用資源としてはＵＨＦ帯からＳＨＦ帯の高周波の電波を使用するため，指向性をもたせることも容易で，最新のデジタル技術による秘匿性と対妨害性にも優れているとされる（フリー百科事典『ウィキペディア（Wikipedia）より』。
現在のデータリンクシステムとして研究が進んでいるものに電子新聞システムがある。
古いものとしては例えば，特許文献１がある。特許文献１に記載された電子新聞システムでは，新聞社から新聞データの提供を受けた新聞販売店にサーバを備え，このサーバから回線によって新聞データが送信される。各戸の端末にはメモリーがあり，これで新聞データを受け入れる。各戸では端末で受信したデータを家庭用テレビに出力する。この新聞記事は，任意にズーム拡大して，細かい字も楽に読むことができる。新聞記事のスクラップ作業も簡便に電子化され，ブラウン管上で，任意にカットアンドペーストして編集された必要部分が，フロッピーデスク（登録商標）にセーブされ，スクラップブックのようなスペースを要しない。また新聞をデータベースのように利用できる形態に容易にできて，少しの経費の追加で，パソコンのようなデータの検索もできる。テレビやラジオ番組欄の検索は，本システムの最適の機能であり，番組欄のズーム拡大により，明瞭に見ながらカーソルで指定したり，チャンネルや時刻の指定で選定することも簡単である。
また，特許文献２では，電子新聞の配信事業者に対し購読契約を行うユーザが使用するユーザ端末との通信が可能な配信サーバが，所定の新聞社が発行する新聞データを保持する複数の新聞発行サーバから通信ネットワークを介して新聞データを取得し，該取得した新聞データの発行元及び記事種別を識別可能に該新聞データを保存し，電子新聞の購読契約時に，当該ユーザ端末の通信アドレスを含むユーザ情報および当該ユーザが指定する発行元及び記事種別を含む配信情報を該ユーザ端末から取得し，保存した新聞データのうち配信情報に対応する新聞データをユーザ情報に基づきユーザ端末へ送信する。
【０００３】
更に，最近のデータリンクシステムとして，特許文献３がある。これは，表示装置に表示された任意の文字列がユーザにより強調され，所定キーが押下される。これに応答して，ＣＰＵは，強調された単語をバッファメモリに取り込み，この単語についてデータベースを検索する。データベースに強調された単語が存在すると，ＣＰＵは，その単語に関連付けられたプログラムを実行する。
【０００４】
このようにデータリンクシステムとしては種々のものがすでに公開されているが，それらは概ね，データベースを格納したサーバを備え，データベース内のオリジナルデータの一部の電子データが配信されたときに，その電子データに基づいて前記サーバ内のデータベースにアクセスして，オリジナルデータ全体あるいはその一部をユーザが取得し，利用することができるものとなっている。その際，ユーザはサーバ側と契約しておき，契約のＩＤやパスワードの照合を経由してユーザはオリジナルデータ全体あるいはその一部を取得することが出来るように構成されているものを指している。
【０００５】
しかしながら，このような従来のデータリンクシステムでは，上記のように事前に電子データとしてのオリジナルデータの一部など取得し，その電子データに基づいてオリジナルデータにアクセスするものであり，かならずしもユーザの生活事情に合致したものとはなっていない。
例えばユーザの多くは，情報入手の方法として前記新聞や，カタログ，パンフレット，書籍などの印刷物を採用する実情があり，これらは紙媒体の印刷物であることが多い。このような印刷物は，人間の視覚に訴える手段としては優れているが，そこから直接的に前記サーバにアクセスしてそのオリジナルデータを取得することは一般的に出来ないとするのが常識である。
しかし多くのオリジナルデータは，新聞社や出版社，そのほかの印刷会社などのサーバに電子データとして保存されているので，印刷物から直接的にサーバのデータベースにアクセスすることが出来ない現状は，決して満足のいくものではなく，既存の資源についての有効利用が図られているとは言い難い。
【先行技術文献】
【特許文献】
【０００６】
【特許文献１】特開２００３−２５５６８３号公報
【特許文献２】特開平３−８７７７０号公報
【特許文献３】特開２０００−８１９７２号公報
【発明の概要】
【発明が解決しようとする課題】
【０００７】
従って，本発明が解決しようとする課題は，新聞社や出版社その他のデータベースサーバに記憶されているオリジナルデータを印刷物を介して利用することの出来るデータリンクシステム及びこれに用いることの出来る携帯型入力装置の提供を目的とする。
【課題を解決するための手段】
【０００８】
前記目的を達成するために本出願に係る第１の発明は，
サーバに蓄積されたオリジナル電子情報を特定するリンク情報を印刷物から読み取ると共に，読み取った上記リンク情報に基づいて上記オリジナル電子情報にアクセスしてオリジナル電子情報を取得するデータリンクシステムであって，
前記サーバと，
自己のＩＤを記憶する記憶手段と，光学センサと，該光学センサ以外の所定の入力手段と，上記光学センサ及びそれ以外の入力手段から取り込んだ情報を前記ＩＤと共に前記サーバに送信する送信手段とを少なくとも備えた携帯型入力手段と，
少なくとも前記サーバから送信された情報を前記ＩＤに基づいて受信する受信手段と，受信した情報を表示する表示手段とを備えた携帯端末とを備えてなるデータリンクシステムとして構成されている。
前記携帯型入力手段は，ペンの機能を備えたものとして有利に構成される。
前記所定の入力手段としては種々考えられるが，例えば，加速度センサ，圧力センサ，速度センサ，距離センサ，傾きセンサのいずれかあるいは複数を含むものであってもよい。
さらに，前記光学センサがカメラを含むものとして構成されれば機能として好適に構成される。
前記携帯型入力手段がＧＰＳ機能を備えたものであれば，自己の位置を敵各位認識することができるので，印刷物上の位置に対応した情報の取得が正確に行いうる。
前記携帯型入力手段としては光学式マウスであってもよい。光学式センサがそのまま使えるであろう。
上記システムに用いられる携帯型入力手段は，
サーバに蓄積されたオリジナル電子情報を特定するリンク情報を印刷物から読み取ると共に，読み取った上記リンク情報に基づいて上記オリジナル電子情報にアクセスしてオリジナル電子情報を取得するための携帯型入力装置であって，
自己のＩＤを記憶する記憶手段と，光学センサと，該光学センサ以外の所定の入力手段と，上記光学センサ及びそれ以外の入力手段から取り込んだ情報を前記サーバに送信する送信手段とを少なくとも備え，
上記光学センサによって読み取った前記ＩＤとリンク情報とを前記光学センサ以外の所定の入力手段と，前記送信手段とを用いて前記サーバに記憶された前記オリジナル電子情報にアクセスして，前記オリジナル電子情報を取得する携帯型入力装置として捉えることができる。
【発明の効果】
【０００９】
本発明は上記のように構成されているので，リンク情報からオリジナル電子情報の保存場所が取得されると共に，その保存されたオリジナル電子情報のどの位置にある情報についてどのような操作を行うかを入力手段の操作によって指示することが出来るので，サーバが実行する操作の幅が飛躍的に広がり，多くの情報を取得することが出来るようになる。
従って，データベースサーバに記憶されているオリジナル電子データの利用を促進することの出来るデータリンクシステム及びこれに用いることの出来る携帯型入力装置を提供することができる。
【図面の簡単な説明】
【００１０】
【図１】本発明の一実施形態に係るデータリンクシステム全体の概要を示す概念図。
【図２】本発明の一実施形態に係るデータリンクシステムに用いられる携帯型入力装置の一例に係るペン型入力装置と携帯端末の一例である携帯電話の概略構成を示すブロック図。
【図３】本発明の一実施形態に係るデータリンクシステムの処理手順を示すフローチャート。
【図４】本発明の一実施形態に係るデータリンクシステムの処理手順を示すフローチャート。
【発明を実施するための形態】
【００１１】
続いて，本出願に係る第１の発明を具体化した実施形態について説明し本発明の理解に供する。
図１に示すように，このシステムは，サーバＳに蓄積されたオリジナル電子情報を特定するリンク情報Ｉを印刷物Ｈから読み取ると共に，読み取った上記リンク情報Ｉに基づいて上記オリジナル電子情報にアクセスしてオリジナル電子情報を取得するデータリンクシステムである。上記オリジナル電子情報の取得の仕方は種々考えられる。例えば，サーバＳがオリジナル電子情報をユーザの携帯電話などの携帯端末Ｔに送り，ユーザが携帯端末Ｔでオリジナル電子情報を取得することが１つの方法である。
リンク情報Ｉは，例えば，オリジナル電子情報がインターネット上のサイトである場合には，保存場所としてのサーバのＵＲＬや，サーバＳ内のファイルの保存場所としてのレジストリなど種々のものが考えられる。
【００１２】
オリジナル電子情報を特定するリンク情報Ｉを印刷物Ｈから読み取る方法も種々のものが考えられる。
たとえば，図１に示すペン型の入力装置（以下ペンＰという）が考えられる。
【００１３】
図２は，上記したペンＰの構成の一例を示す概念図である。
図に示すように，ペンＰは，前記サーバＳと交信を行うための送受信部Ｒと，自己のＩＤを記憶する記憶手段Ｍと，光学センサＯｐと，該光学センサＯｐ以外の入力手段の一例である加速センサＡｃと，時間の経過を計測するクロックＣ，電源部Ｇなどを備え，これらの構成要素は，制御部であるＣＰＵによって後記するフローチャートに従って制御され，上記ペンＰは，上記光学センサＯｐによって，印刷物Ｈからリンク情報Ｉを読み取り，これを前記記憶手段Ｍに記憶されたユーザＩＤと共に前記送受信部ＲからサーバＳに送ることが出来る。
【００１４】
送信の仕方としては，ペンＰから直接サーバＳに送信することも可能であるが，さらに，一旦携帯端末Ｔに送り，携帯端末ＴからサーバＳに送ることも可能である。このようにすればペンＰの通信手段として短距離の無線ＬＡＮ等を使用することが出来，ペンＰのコストを軽減することが出来る。
【００１５】
サーバＳでは，受信したリンク情報Ｉに基づいてオリジナル電子情報の保存場所を知ることが出来，知得した保存場所に記憶されたオリジナル電子情報を所定の通信手段を経由して無線により送信することが出来る。
【００１６】
印刷物上に表示された情報からオリジナル電子情報の保存場所にアクセスしてオリジナル電子情報を取得する方法の簡単な一例は，リンク情報Ｉが，サイトのＵＲＬあるいはそれがコード化された情報の場合であるが，この発明ではそのような簡単なケースばかりでなく，例えば，印刷物Ｈの任意の場所に表示された情報を検知して，その情報をサーバＳからダウンロードするようなことも可能である。このようなダウンロード可能の情報は単なるテキストデータのみでなく，動画情報あるいは画像情報，さらには音声情報も対象として含まれる。
【００１７】
次に図３を参照して，リンク情報Ｉが，サーバＳにおける保存場所の情報（サイトのＵＲＬも含む）あるいはそれがコード化された情報のみの場合について説明する。ここにＳ１，Ｓ２，…は処理手順（ステップ）の識別符号である。
図３は，前記ペンＰのＣＰＵの処理手順である。
この処理は，前記ＣＰＵが前記電源部Ｇの状態（電源センサＧがオンかオフか）を検知する処理（Ｓ１）から始まる。電源部Ｇは，ペンＰに設けられた図外の電源スイッチがユーザによってオン状態に切り替えられたときにオンとなる。
【００１８】
続いてＣＰＵは，データ特定情報の一例であるリンク情報Ｉが入力されたかどうかを検出する（Ｓ２）。この処理における対象はサイトのＵＲＬあるいはそれがコード化された情報である。コード化された情報の一例は，バーコードである。
このようなリンク情報Ｉは，ユーザがペンＰを手に持ってその光学センサＯｐをリンク情報Ｉにかざしたときに読み込まれる。
リンク情報Ｉが読み込まれたと判断された場合（Ｓ２でＹＥＳ），ＣＰＵは，上記読み込まれたリンク情報Ｉと記憶手段Ｍに記憶されたユーザＩＤとを，前記送受信部Ｒから無線によって送信する（Ｓ３）。前記したように，送受信部Ｒが，短い距離しか届かない無線ＬＡＮなどである場合には，送信部Ｒが携帯端末Ｔに送信するものであってもよい。
【００１９】
次に，この送信されたリンク情報Ｉと記憶手段Ｍに記憶されたユーザＩＤとをサーバＳが受信する（Ｓ１０）とサーバＳにあらかじめ登録されたＩＤ情報と受信されたＩＤ情報とが照合され（Ｓ１１），受信されたＩＤ情報の中が登録されたものであると判断された場合（Ｓ１１でＹＥＳ）には，サーバＳは，受信したリンク情報に基づいて，オリジナル電子情報の保存場所を抽出し，抽出されたファイルを必要に応じて圧縮した後，サーバは契約によりあらかじめ登録されたユーザの携帯端末Ｔに所定のＩＤを付して通信部から送信する（Ｓ１３）。受信されたリンク情報が，サイトのＵＲＬである場合には，サーバはＵＲＬで指定されたサイトのページを立ち上げる。
【００２０】
サーバＳからの送信情報を受信すると（Ｓ２０でＹＥＳ），携帯端末Ｔは，ＩＤを照合して必要であれば情報と解凍し，あるいはそのまま付属の表示部にその情報を表示する（Ｓ２１）。
こうして，印刷物Ｈに記載されたリンク情報Ｉからその対象であるオリジナル電子情報がユーザによって取得される。
以上が，リンク情報Ｉが，サーバＳにおける保存場所の情報（サイトのＵＲＬも含む）あるいはそれがコード化された情報のみによってダウンロードが行われる簡単な場合である。
【００２１】
次にリンク情報とダウンロード情報が別の場合について，その処理手順を図４を参照して説明する。
リンク情報Ｉが読み込まれたと判断された場合に，ＣＰＵが，上記読み込まれたリンク情報Ｉと記憶手段Ｍに記憶されたユーザＩＤとを，前記送受信部Ｒから無線によって送信する（Ｓ３）までの処理は，図３に示した処理と同じであるので説明を省略する。
その後ＣＰＵは，ペンＰに内蔵されたクロックＣが計時する時間を計測すると共に，加速度センサＡｃが検出する加速度値を計測する（Ｓ３４）。
この加速度と時間とからリンク情報Ｉの表示された場所から，ペンＰが移動した距離が計算されるので，時間と加速度を計測することでユーザがペンＰを移動させた距離が計算される。この場合，方位は分からないが，ペンＰの移動距離が分かれば，サーバＳ側では，オリジナル電子情報におけるリンク情報から移動距離分の半径によって形成される円状の位置が分かる。
同時にＣＰＵは，上記時間と加速度を計測しながら，ＣＰＵは前記加速度センサＡｃからの所定の動作情報が入力されたかどうかを計測する（Ｓ３５）。
ユーザによって，例えば所定のクリック動作など（例えば，印刷物を叩く動作）がされると，単純な移動動作と異なる大きい加速度が加速度センサＡｃによって検出される。
【００２２】
このプログラムでは，クリック動作，ダブルクリック動作，等の所定の操作とＣＰＵの処理内容とが対応付けられている。
例えばクリック動作は，その位置にある画像（五線紙やト音記号付きの画像などの音声に関する画像の場合には音声，動画を示すものである場合には動画）の送信（配信）を求める動作であり，ダブルクリック動作は，指定された場所にある文章の翻訳分の送信を求める動作である，と言ったルールがあらかじめ記憶されている。このようなユーザが求める操作の例としては，他に，指定されたプリンタに送信して印刷することなどである。
このように操作が複雑になった場合には，前記光学センサＯｐと加速度センサＡｃのみでは操作の種類を指定出来ない可能性もあるので，ペンＰの一部に別のスイッチなどを設けてもよい。スイッチの一例としては，感圧センサ，等があるが，単純なオン・オフを検知するものであってもよいことは言うまでもない。
また，操作が複雑になった場合には，ペンＰによる入力に限界がある可能性もあるので，通常パソコンで用いられるマウスを用いてもよい。その場合，光学的マウスであれば光学センサも設けられているので便利である。
【００２３】
上記のようにリンク情報が表示された位置から所定半径の位置で所定の操作が行われたと判断された場合（Ｓ３５でＹＥＳ），ＣＰＵは上記距離情報と操作に関する情報をサーバＳに送信する。
【００２４】
ペンＰからの情報送信を受けたサーバＳ側での処理について，リンク情報の受信（Ｓ１０）→ＩＤ照合（Ｓ１１）→オリジナル電子情報の保存場所特定（Ｓ１３）については前記図３に示した処理と同様である。
その後，操作に関する情報受信するとサーバＳは，受信した距離情報からリンク情報の位置を中心として上記受信した距離の半径に存在する特定の情報（画像情報，音声情報，動画情報といった情報）があるかを検出し（Ｓ４１），あれば受信した操作情報に応じた操作（画像，音声，動画などを抽出する操作）を行い，抽出されたデータを無線送信する（Ｓ４２）。
【００２５】
この情報を受信した携帯端末Ｔでの受信→表示の処理（Ｓ２０〜２１）は，前記図３に示したものと同じであるのでここでは説明を省略する。
【００２６】
このようにして，図４に示した実施形態では，リンク情報からはオリジナル電子情報の保存場所が取得されると共に，その保存されたオリジナル電子情報のどの位置にある情報についてどのような操作を行うかをペンＰの操作によって指示することが出来るので，サーバＳが実行する操作の幅が飛躍的に広がり，多くの情報を取得することが出来るようになる。
上記のように携帯型入力装置はペン機能を備えたものが好適である。
前記所定の入力手段としては，加速度センサ，圧力センサ，速度センサ，距離センサ，傾きセンサのいずれかあるいは複数を含むものが適切な例である。
【００２７】
上記実施形態では，所定の入力手段が，加速度センサとして構成されていたが，本発明ではこれにこだわるものではなく，圧力センサ，速度センサ，距離センサ，傾きセンサその他の位置や傾きを検出するセンサを用いることができる。圧力センサであれば，ノックなどを検知できるので，クリック，ダブルクリックなどの普段慣れている操作を入力するのに好適である。また速度センサ，位置センサであればペンＰの位置を正確に入力することができる。傾きセンサを用いれば，ペンＰの傾きだけで，どういう操作が支持されているかを簡単に入力することができる。
またペンＰの位置を直接入力する手段として，ＧＰＳセンサを用いることもできる。ＧＰＳセンサの検出精度は近年飛躍的に向上しており，本発明のような用途にも近い将来用いることができるようになると思われる。
前記光学センサの一例として，カメラを用いても良い。カメラであれば，バーコードその他のコード化情報の検出はもちろん，印刷物上の画像を正確に検出することができるので，印刷物上の画像とサーバに記憶されたオリジナル電子情報上の画像の正確な照合が可能となる。
【産業上の利用可能性】
【００２８】
本発明は，サーバに蓄積されたオリジナル電子情報を特定するリンク情報を印刷物から読み取ると共に，読み取った上記リンク情報に基づいて上記オリジナル電子情報にアクセスしてオリジナル電子情報を取得するデータリンクシステム及び該システムで用いることの出来る携帯型入力装置に適用することができる。
【符号の説明】
【００２９】
Ｇ…電源センサ
Ｃ…クロック
Ａｃ…加速度センサ
Ｏｐ…光学センサ
Ｒ…送受信部
Ｍ…記憶部
Ｔ…携帯端末
Ｓ…サーバ
【図１】
2011086135.tif 000003
【図２】
2011086135.tif 000004
【図３】
2011086135.tif 000005
【図４】
2011086135.tif 000006